(57)【要約】【課題】遊技球の振分部材、遊技球の振分装置、遊技機を従来には全くない新規でかつ遊技者にとって楽しみやすいものにする。【解決手段】振分部材３５は、遊技球８が投入されて転動する転動面４３を有する球受け部４０を備えている。この球受け部４０の転動面４３には、投入された遊技球８が旋回する旋回通路４７が形成され、旋回通路４７の内側には、遊技球８が入る第１入球口４４とこの第１入球口４４のまわりを包囲する環状の第２入球口４５とが形成されている。振分部材３５は、第２入球口４５を跨いで旋回通路４７と第１入球口４４とに架け渡されるように形成されるとともに、旋回通路４７から逸れた遊技球８を第１入球口４４と第２入球口４５とに振り分けて入球可能とする通過手段５１を備えている。【選択図】図３
2008228975.tif 000002
【特許請求の範囲】
【請求項１】
遊技球が投入されて転動する転動面を有する球受け部を備え、この球受け部の転動面には、投入された遊技球が旋回する旋回通路が形成され、
旋回通路の内側には、遊技球が入る第１入球口とこの第１入球口のまわりを包囲する環状の第２入球口とが形成されており、
第２入球口を跨いで旋回通路と第１入球口とに架け渡されるように形成されるとともに、旋回通路から逸れた遊技球を第１入球口と第２入球口とに振り分けて入球可能とする通過手段が転動面に設けられていることを特徴とする遊技球の振分部材。
【請求項２】
前記転動面には遊技球の通過容易性の異なる複数の通過手段が設けられていることを特徴とする請求項１に記載の遊技球の振分部材。
【請求項３】
遊技球が投入されて転動する転動面が形成された球受け部とこの球受け部を回転可能に支持する軸部とを有する遊技球の振分部材と、振分部材を支持する支持台とを備えた遊技球の振分装置であって、
球受け部の転動面には、この転動面に投入された遊技球が旋回する旋回通路が形成され、旋回通路の内側には、遊技球が入る第１入球口とこの第１入球口のまわりに位置する第２入球口とが形成されており、
支持台は、振分部材の軸部を回転自在に支持する支持部と、第１入球口に入った遊技球を通過させて回収するための第１回収通路と、第２入球口に入った遊技球を通過させて回収するための第２回収通路と、第１回収通路と第２回収通路の少なくとも一方を通過する遊技球を受けることにより振分部材の軸部を回動作動させる作動機構とを備えていることを特徴とする遊技球の振分装置。
【請求項４】
遊技球が投入されて転動する転動面が形成された球受け部とこの球受け部を回転可能に支持する軸部とを有する遊技球の振分部材と、振分部材を支持する支持台とを備えた遊技球の振分装置であって、
球受け部の転動面には、この転動面に投入された遊技球が旋回する旋回通路が形成され、旋回通路の内側には、遊技球が入る第１入球口とこの第１入球口のまわりに位置する第２入球口とが形成されており、
支持台は、振分部材の軸部を回転自在に支持する支持部と、第１入球口に入った遊技球を通過させて回収するための第１回収通路と、第２入球口に入った遊技球を通過させて回収するための第２回収通路と、第１回収通路と第２回収通路の少なくとも一方を通過する遊技球を感知するセンサを有するとともにこのセンサが前記遊技球を感知することにより振分部材の軸部を所定の回動角度で回動駆動させる駆動手段とを備えていることを特徴とする遊技球の振分装置。
【請求項５】
前記第２入球口は、第１入球口を包囲するように環状に形成されており、前記転動面には、第２入球口を跨いで旋回通路と第１入球口とに架け渡されるように形成されるとともに、旋回通路から逸れた遊技球を第１入球口と第２入球口とに振り分けて入球可能とする通過手段が設けられていることを特徴とする請求項３又は４に記載の遊技球の振分装置。
【請求項６】
請求項３〜５のいずれか１項に記載の遊技球の振分装置を備えた遊技機であって、前記球受け部と支持台の間には、前記軸部が所定角度回動したときに、旋回通路を旋回している遊技球を通過手段に案内する案内部材が設けられ、
前記支持台と振分部材の間には、軸部が所定角度回動したときに、案内部材を転動面から逸れた待機姿勢から、球受け部の転動面上に移って遊技球を通過手段に案内する案内姿勢に変更させるとともに、軸部がさらに所定角度回動したときに案内姿勢から待機姿勢に変更させる姿勢変更手段が設けられていることを特徴とする遊技機。
【発明の詳細な説明】
【技術分野】
【０００１】
本発明は、遊技球が複数の入球口（入球孔）のいずれかに入るように振り分ける遊技球の振分部材、この振分部材を備えた振分装置、およびこれらを備えた遊技機に関する。
【背景技術】
【０００２】
従来、パチンコ機等の遊技機には、例えば、大当たりの当否抽選を行うために、遊技球の振分装置が設けられている。振分装置は、遊技球が投入されて転動する転動面に遊技球が入る複数の入球孔（入球口）が形成された振分部材（いわゆるクルーン）を有する。
【０００３】
この振分部材は、複数の入球孔のうち、例えば１つの入球孔（以下、「大当たり孔」という）に遊技球が入った場合にのみ大当たりが発生し、その他の入球孔（以下、「はずれ孔」という）に遊技球が入った場合には、大当たりが発生しないようなっており、遊技機は、この構成によって、物理的に大当たりの当否抽選を行うようになっている（例えば、特許文献１参照）。
【０００４】
この振分装置を備えた遊技機を使用する遊技者は、遊技球が大当たり孔やはずれ孔の周辺を転動するのを見ながら、遊技球が大当たり孔に入ってほしいという期待感をもってその遊技を楽しむことができる。
【特許文献１】特開平７−１７１２４８号公報
【発明の開示】
【発明が解決しようとする課題】
【０００５】
上記した振分装置は、遊技者の遊技意欲に直接影響を与えるものであり、遊技機において最も重要な構成要素の１つである。このことから、その振分部材、振分装置には、遊技者にとってより楽しみやすく、またはより長期にわたって遊技者を惹きつけるような構成が望まれる。
【０００６】
本発明は、上記事情に鑑み、従来には全くない新規でかつ遊技者にとって楽しみやすくした遊技球の振分部材、遊技球の振分装置、およびこれらを備えた遊技機を提供することを課題とする。
【課題を解決するための手段】
【０００７】
本発明に係る遊技球の振分部材は、上記の課題を解決するためのものであって、遊技球が投入されて転動する転動面を有する球受け部を備え、この球受け部の転動面には、投入された遊技球が旋回する旋回通路が形成され、旋回通路の内側には、遊技球が入る第１入球口とこの第１入球口のまわりを包囲する環状の第２入球口とが形成されており、第２入球口を跨いで旋回通路と第１入球口とに架け渡されるように形成されるとともに、旋回通路から逸れた遊技球を第１入球口と第２入球口とに振り分けて入球可能とする通過手段が転動面に形成されていることを特徴とする。
【０００８】
かかる構成によれば、旋回通路、第１入球口、第２入球口、通過手段の複数の構成要素を組み合わせることによって、振分部材は、従来にない全く新規な構成となり、遊技者にとって楽しみやすいものになる。さらに、通過手段が遊技球を第１入球口と第２入球口とに振分け可能な構成とすることで、例えば、遊技球が第１入球口を遊技機において大当たり発生の条件となる入賞孔として設定し、第２入球口をはずれの孔として設定することで、遊技球の大当たり当否の物理的振分けが可能になる。遊技者は、旋回通路を周回（旋回）する遊技球が通過手段を通って第１入球口に入ってほしいと期待しながらその遊技を楽しむことができる。
【０００９】
また、本発明に係る振分部材は、前記転動面には遊技球の通過容易性の異なる複数の通過手段が設けられている構成を採用できる。
【００１０】
かかる構成によれば、振分部材の転動面に複数の通過手段を設け、各通過手段ごとに遊技球の通過容易性を異ならせることによって、振分部材を複雑な構成にできる。
【００１１】
本発明に係る遊技球の振分装置は、遊技球が投入されて転動する転動面が形成された球受け部とこの球受け部を回転可能に支持する軸部とを有する遊技球の振分部材と、振分部材を支持する支持台とを備えた遊技球の振分装置であって、球受け部の転動面には、この転動面に投入された遊技球が旋回する旋回通路が形成され、旋回通路の内側には、遊技球が入る第１入球口とこの第１入球口のまわりに位置する第２入球口とが形成されており、支持台は、振分部材の軸部を回転自在に支持する支持部と、第１入球口に入った遊技球を通過させて回収するための第１回収通路と、第２入球口に入った遊技球を通過させて回収するための第２回収通路と、第１回収通路と第２回収通路の少なくとも一方を通過する遊技球を受けることにより振分部材の軸部を回動作動させる作動機構とを備えていることを特徴とする。
【００１２】
かかる構成によれば、振分部材に、旋回通路、第１入球口、第２入球口、通過手段の複数の構成要素を組み合わせて設けることによって、この振分部材を備えた振分装置は、従来にない全く新規な構成となり、遊技者にとってより楽しみやすいものになる。また、第２入球口に入った遊技球が第２回収通路を通る際に作動機構を作動させ、この作動機構が振分部材の軸部を所定の角度で回動させることで、球受け部の姿勢が無作為に変化するので、遊技機のネカセ（傾斜角度）の影響が少なくなり、振分装置を遊技者にとってより楽しく飽きのこない構成にできる。
【００１３】
本発明に係る遊技球の振分装置は、上記の課題を解決するためのものであって、遊技球が投入されて転動する転動面が形成された球受け部と、この球受け部を回転可能に支持する軸部とを有する遊技球の振分部材と、振分部材を支持する支持台とを備え、球受け部の転動面には、この転動面に投入された遊技球が旋回する旋回通路が形成され、旋回通路の内側には、遊技球が入る第１入球口と第１入球口のまわりに位置する第２入球口とが形成されており、支持台は、振分部材の軸部を回転自在に支持する支持部と、第１入球口に入った遊技球を通過させて遊技球を回収するための第１回収通路と、第２入球口に入った遊技球を通過させて回収するための第２回収通路と、第１回収通路と第２回収通路の少なくとも一方を通過する遊技球を感知するセンサを有するとともにこのセンサが前記遊技球を感知することにより振分部材の軸部を所定の回動角度で回動駆動させる駆動手段とを備えていることを特徴とする。
【００１４】
かかる構成によれば、振分部材に、旋回通路、第１入球口、第２入球口、通過手段の複数の構成要素を組み合わせて設けることによって、この振分部材を備えた振分装置は、従来にない全く新規な構成となり、遊技者にとってより楽しみやすいものになる。また、第２入球口に入った遊技球が例えば第２回収通路を通過する際に、センサがこの遊技球を感知して駆動手段が振分部材の軸部を所定の角度で回動させることで、遊技者には、球受け部の姿勢が無作為に変化するように見え、これによって、振分装置をより楽しく飽きのこない構成にできる。
【００１５】
また、本発明に係る遊技球の振分装置は、前記第２入球口が、第１入球口を包囲するように環状に形成されており、前記転動面には、第２入球口を跨いで旋回通路と第１入球口とに架け渡されるように形成されるとともに、旋回通路から逸れた遊技球を第１入球口と第２入球口とに振り分けて入球可能とする通過手段が設けられている構成を採用できる。
【００１６】
かかる構成によれば、第２入球口を環状に形成して第１入球口を包囲するとともに、通過手段を第２入球口を跨ぐように設け、この通過手段によって遊技球を第１入球口と第２入球口に振り分け可能に構成することによって、旋回通路を周回している遊技球が通過手段を通過するときに、例えば、第１入球口を大当たり遊技発生の条件となる孔とし、第２入球口をはずれの孔とした場合に、通過手段は、遊技球を第１入球口と第２入球口に振り分けて入球可能とされていることから、この振分装置は、大当たりの当否の振り分けが可能になる。
【００１７】
本発明に係る遊技機は、上記の課題を解決するためのものであって、上記した遊技球の振分装置のいずれかを備え、前記球受け部と支持台の間には、前記軸部が所定角度回動したときに、旋回通路を旋回している遊技球を通過手段に案内する案内部材が設けられ、前記支持台と振分部材の間には、軸部が所定角度回動したときに、案内部材を転動面から逸れた待機姿勢から、球受け部の転動面上に移って遊技球を通過手段に案内する案内姿勢に変更させるとともに、軸部がさらに所定角度回動したときに案内姿勢から待機姿勢に変更させる姿勢変更手段が設けられていることを特徴とする。
【００１８】
かかる構成によれば、例えば、遊技機において、振分部材の第１入球口を大当たりの発生のための孔として用い、第２入球口をはずれの孔として用いたとき、第１入球口に遊技球がなかなか入らない場合であっても、所定数の遊技球が第２入球口に入り、振分部材の軸部が所定の角度回動したときに、案内部材が姿勢変更手段によって案内姿勢となり、遊技球を通過手段から第１入球口に入りやすくなる。
【００１９】
したがって、遊技者は、遊技球が第１入球口に入り難く大当たりがなかなか発生しない場合でも、第２入球口に多くの遊技球が入り、案内部材が案内姿勢に姿勢を変えて遊技球が第１入球口に入りやすくなってほしいと期待しながら遊技を楽しむことができる。これにより、遊技機は従来にはない全く新規な構成になる。
【発明の効果】
【００２０】
本発明によれば、遊技球の振分部材、遊技球の振分装置、および遊技機を、従来には全くない新規でかつ遊技者にとって楽しみやすいものにできる。
【発明を実施するための最良の形態】
【００２１】
以下、本発明の実施の形態を、図面に基づき説明する。
【００２２】
図１〜図５は、遊技球の振分部材（以下、単に「振分部材」という）、遊技球の振分装置（以下、単に「振分装置」という）、および遊技機の一実施形態を示している。なお、図１は、遊技機１の一例としていわゆるパチンコ機を示している。
【００２３】
図１に示すように、遊技機１は、外枠２と、この外枠２に着脱自在かつ開閉自在に取り付けられる本体枠３と、遊技盤４と、本体枠３に保持された遊技盤４を覆うガラス５を有する前扉６を備える。
【００２４】
遊技機１の背面には、この遊技機１の遊技の進行を制御する制御装置（図示略）が設けられている。遊技機１は、この制御装置によって所定数の賞球の払い出しや大当たり遊技の制御等の種々の制御を行うようになっている。
【００２５】
前記本体枠３は、その下部側に、遊技機１の賞球払出装置（図示せず）によって払い出される遊技球８を受ける上皿９と、上皿９に所定数の遊技球８が貯まった後にさらに払い出された遊技球８を受ける下皿１０と、遊技球８を遊技盤４に対して打ち出し操作するためのハンドル１１とを備える。
【００２６】
遊技盤４には、本体枠３のハンドル１１の操作によって打ち出された遊技球８を遊技盤４の上部側に案内するガイドレール１５、遊技盤４を通過する遊技球８に不規則な動きをさせるための多数の遊技釘１６、大当たり遊技の当否抽選を行う抽選室１７、抽選室１７へ遊技球８を入れるための電動役物１８、この電動役物１８を始動させて大きく開かせるための始動口１９、抽選室１７内に設けられた遊技球８の振分装置２１、大当たり時に開閉する大入賞口２２、複数の普通入賞口２３、および複数の風車２４、入賞を逃した遊技球８（アウト玉）を遊技内に回収するアウト口２５（回収口）等が設けられている。
【００２７】
この遊技機１は、大入賞口２２、普通入賞口２３に遊技球８が入ると、所定数の遊技球８を上皿９に払い出すようになっている。また、大入賞口２２は、遊技中に大当たりとなった場合に、一定時間（例えば３０秒）、所定数（例えば１０球）の遊技球８が入るまで開いた状態になる。遊技機１は、大入賞口２２がこのように一定時間開いた状態を１ラウンドとして、大当たり時には、この大入賞口２２が複数ラウンド（例えば１５ラウンド）開くとともにこの大入賞口２２に遊技球８が入ることで、多量の遊技球８を賞球として払い出すようになっている。
【００２８】
遊技盤４の中央部には開口部３１が設けられており、この開口部３１を介して抽選室１７内が遊技者に見えるようになっている。抽選室１７内には、遊技球８の電動役物１８を通過した遊技球８を振分装置２１に案内する案内樋３２が設けられている。案内樋３２は、抽選室１７の電動役物１８から振分装置２１に向かうにつれて、徐々に下方に傾斜して設けられており、この案内樋３２を通った遊技球８は、加速しながら振分装置２１に投入される。
【００２９】
図１〜図３に示すように、振分装置２１は、案内樋３２から出された遊技球８を受けて大当たりの当否を抽選する振分部材３５と、この振分部材３５を回転自在に支持する支持台３６とを有する。
【００３０】
振分部材３５は、案内樋３２から出された遊技球８を受ける球受け部４０と、この球受け部４０を回転可能に支持する軸部４１とを有する。球受け部４０は平面視において円形に形成されている。この球受け部４０は、案内樋３２から投入された遊技球８が転動する凹湾曲面形状の転動面４３と、この転動面４３に形成されていて遊技球８が入る第１入球口４４、第２入球口４５とを有する。図３に示すように、転動面４３には、案内樋３２から投入された遊技球８を旋回させる旋回通路４７と、旋回通路４７と第１入球口４４とを繋ぐ複数（図例では４つ）の通過手段（連絡通路）５１〜５４が形成されている。
【００３１】
第１入球口４４は、例えば、遊技球８が入ったときに大当たり等を決定する孔として用いられる。また、第２入球口４５は、例えば、遊技球８が入ったときに、少数の賞球の払出を決定する孔として用いられたり、賞球なしのはずれの孔等として用いられる。すなわち、第１入球口４４は第２入球口４５よりも遊技者にとって有利な孔とされ、第２入球口４５は第１入球口４４よりも不利な孔となっている。
【００３２】
図３に示すように、第１入球口４４は、平面視において、球受け部４０のほぼ中心位置に形成されている。この実施形態では、球受け部４０に１つの第１入球口４４が形成されている。第１入球口４４は、平面視円形に形成されている。第１入球口４４のまわりには、通過手段５１〜５４を通過してきた遊技球８を第１入球口４４に案内する案内面５７が形成されている。案内面５７は円形または環状等に形成されている。
【００３３】
第１入球口４４はこの案内面５７のほぼ中心位置に設けられている。この案内面５７には、第２入球口４５との境界となる縁部５８が形成されている。案内面５７は、通過手段５１〜５４側から第１入球口４４に向かうにつれて徐々に下方に傾斜する傾斜面となっている。案内面５７の縁部５８には、この案内面５７に載った遊技球８が第２入球口４５に入らないようにするとともに、第１入球口４４へと案内するガイド部５９が形成されている。このガイド部５９は、案内面５７から上方に突出して形成されている。
【００３４】
図３に示すように、第２入球口４５は、案内面５７を挟んで第１入球口４４を取り囲むようにこの第１入球口４４のまわりに位置している。本実施形態では、第２入球口４５は、第１入球口４４を包囲するように環状に形成されている。本実施形態では、第２入球口４５は、円環状に形成されている。第２入球口４５は、平面視において、複数の通過手段５１〜５４によって分断されている。第２入球口４５の開口面積は、第１入球口４４の開口面積よりも大きくなっている。なお、各通過手段５１〜５４は、環状の第２入球口４５を跨いで旋回通路４７と案内面５７の第１入球口４４とに架け渡されるように形成されている。
【００３５】
旋回通路４７は、球受け部４０に投入された遊技球８を案内するガイド部４７ａと、遊技球８が通過する通過面４７ｂと、この通過面４７ｂと第２入球口４５との境界となる縁部４７ｃとを有する。旋回通路４７の通過面４７ｃは、図２に示すように、ガイド部４７ａから第１入球口４４に向かうにつれて徐々に下方に傾斜する傾斜面となっている。旋回通路４７のガイド部４７ａは、図３に示すように、平面視において円環状に形成されている。
【００３６】
前記案内樋３２は、遊技球８が振分部材３５の球受け部４０に投入されたときに、旋回通路４７を旋回するように、その放出口３２ａが旋回通路４７の通過面４７ｂと平面視で重なるように設けられている。この放出口３２ａから放出された遊技球８は、旋回通路４７の通過面４７ｂに載るとともにガイド部４７ａに当たった状態で、平面視において時計回りに旋回しながら転動する。以下、この時計回りの旋回の方向を、単に「遊技球の旋回方向」という。
【００３７】
図３に示すように、通過手段５１〜５４は、平面視円形とされた球受け部４０の円周方向に沿って環状に形成された第２入球口４５を半径方向に横切るように設けられている。通過手段５１〜５４は、平面視において円弧状に湾曲して形成されている。通過手段５１〜５４は、遊技球８の旋回方向に凸となるように湾曲して形成されている。このように、通過手段５１〜５４は、円弧状に湾曲して形成されることにより、直線状に形成される場合よりも遊技球８が通過しやすくなっている。
【００３８】
この通過手段５１〜５４を通過する遊技球８は、全てが第１入球口４４に案内されるのではなく、その速度や、旋回通路４７から通過手段５１〜５４に入る角度等によって、第１入球口４４または第２入球口４５に入るようになっている。すなわち、通過手段５１〜５４は、遊技球８を、第１入球口４４または第２入球口４５に振り分けて入球させる機能を有している。
【００３９】
各通過手段５１〜５４は、遊技球８が通過する通過面６０（６０ａ〜６０ｄ）と、この通過面６０（６０ａ〜６０ｄ）と第２入球口４５との境界となる２つの縁部６１（６１ａ〜６１ｈ）を有する。各通過手段５１〜５４の２つの縁部６１の間隔（例えば通過手段５１の２つの縁部６１ａ、６１ｂの間隔と、通過手段５２の２つの縁部６１ｃ、６１ｄの間隔）は等しくなっている。以下、各通過手段５１〜５４の２つの縁部６１の間隔を「通過手段の幅Ｗ」といい、２つの縁部６１の一方から他方に向かう方向を「通過手段の幅方向」という。この実施形態では、各通過手段５１〜５４の幅Ｗは、その長手方向の全長にわたって一定とされている。
【００４０】
また、複数の通過手段５１〜５４を比較した場合、相対的に遊技球８が通過しやすくて第１入球口４４に入りやすい構造のものや、遊技球８が通過し難くて第１入球口４４に入り難い（または第２入球口４５に入りやすい）構造のものがある。以下、このような遊技球８の第１入球口４４への入りやすさ、入り難さの度合いを、「通過容易性」という。また、複数の通過手段５１〜５４の通過容易性を比較した場合、相対的に遊技球８が第１入球口４４が入りやすい場合を「通過容易性が高い」といい、相対的に遊技球８が第１入球口４４に入り難い場合を「通過容易性が低い」という。なお、複数の通過手段５１〜５４のうちの１つにおいて、遊技球８が通過しやすい部分と、通過し難い部分とがある場合に、これらを比較する場合にも、この「通過容易性」の語を用いる。
【００４１】
球受け部４０の転動面４３に形成された４つの通過手段５１〜５４は、その通過容易性が異なる。以下、４つの通過手段５１〜５４のそれぞれを、通過容易性が高い順に第１通過手段５１、第２通過手段５２、第３通過手段５３、第４通過手段５４という。
【００４２】
図３に示すように、第１通過手段５１の２つの縁部６１ａ、６１ｂには、遊技球８を第１入球口４４に案内するガイド部６４が設けられている。このガイド部６４は、第１通過手段５１の通過面６０ａから上方に畝状に突出して形成されている。ガイド部６４は、縁部６１ａ、６１ｂのほぼ全長にわたって形成されている。第１通過手段５１の通過面６０ａは、図４（ａ）に示すように、断面視において水平状の平坦面となっている。
【００４３】
第２通過手段５２の２つの縁部６１ｃ、６１ｄのうちの一方（縁部６１ｃ）には、遊技球８を第１入球口４４へと案内するガイド部６５が設けられている。この構成により、第２通過手段５２を通過する遊技球８は、ガイド部６５が設けられた側の縁部６１ｃからよりも、ガイド部６５が形成されていない縁部６１ｄから、直近の第２入球口４５に入りやすくなっている。
【００４４】
また、第２通過手段５２の通過面６０ｂは、図４（ｂ）に示すように、断面視において、所定の角度で傾斜した傾斜面となっている。この通過面６０ｂは、この第２通過手段５２の２つの縁部６１ｃ、６１ｄのうち、ガイド部６５が形成された縁部６１ｃから、他方の縁部６１ｄに向かうにつれて、徐々に下方に傾斜している。第２通過手段５２は、ガイド部６５が２つの縁部６１ｃ、６１ｄの一方に形成されていること、および通過面６０ｂが上記のように傾斜して形成されることにより、第１通過手段５１よりも通過容易性が低くなっている。
【００４５】
第３通過手段５３は、第２通過手段５２と同様に、その２つの縁部６１ｅ、６１ｆの一方（縁部６１ｅ）に、遊技球８を第１入球口４４へと案内するガイド部６６が形成されている。また、この第３通過手段５３の通過面６０ｃは、図４（ｃ）に示すように、この第３通過手段５３の２つの縁部６１ｅ、６１ｆのうち、ガイド部６６が形成された縁部６１ｅから他方の縁部６１ｆに向かうにつれて、徐々に下方に傾斜している。第３通過手段５３の通過面６０ｃの傾斜角度は、第２通過手段５２の通過面６０ｂの傾斜角度よりも更に大きい。したがって、第３通過手段５３は、第２通過手段５２よりもその通過容易性が低くなっている。
【００４６】
第４通過手段５４は、その２つの縁部６１ｇ、６１ｈの一方（縁部６１ｇ）にガイド部６６が形成されている。また、この第４通過手段５４の通過面６０ｄは、図４（ｄ）に示すように、この第４通過手段５４の２つの縁部６１ｇ、６１ｈのうち、ガイド部６６が形成された縁部６１ｇから、他方の縁部６１ｈに向かうにつれて、徐々に下方に傾斜している。第４通過手段５４の通過面６０ｄの傾斜角度は、第３通過手段５３の通過面６０ｃの傾斜角度よりも大きい。これにより、第４通過手段５４は、第３通過手段５３よりも更にその通過容易性が低くなっている。
【００４７】
図２に示すように、振分部材３５の軸部４１は、円筒状に形成されており、平面視円形の球受け部４０とほぼ同心状に形成されている。また、この軸部４１は、第１入球口４４とほぼ同心状に形成されている。この軸部４１には、第１入球口４４と繋がるとともに、第１入球口４４に入った遊技球８を下方に通過させて球受け部４０外に排出する排出通路７０が設けられている。
【００４８】
振分部材３５を支持する支持台３６には、振分部材３５の軸部４１を支持する支持部８０と、振分部材３５の軸部４１を回動作動させる作動機構８１が設けられている。また、支持台３６には、第１入球口４４に入った遊技球８を遊技機１内に回収する第１回収通路８３と、第２入球口４５に入った遊技球８を遊技機１内に回収する第２回収通路８４が設けられている。
【００４９】
支持部８０は、支持台３６の上部に、上下方向に沿って形成された孔に軸受が設けられた構成となっており、振分部材３５の軸部４１は、支持部８０の軸受に回転可能に支持されている。
【００５０】
第１回収通路８３は、軸部４１の排出通路７０につながるように、上下方向に沿って支持台３６を貫通して形成された孔である。第１回収通路８３には、振分部材３５の第１入球口４４に入って軸部４１の排出通路７０を通った遊技球８を感知するセンサ８５が設けられている。このセンサ８５は、第１入球口４４に遊技球８が入ったことを感知して遊技機１内の制御装置にその信号を発信するようになっている。
【００５１】
第２回収通路８４は、支持台３６の上部に形成されていて第２入球口４５に入った遊技球８を受ける受け面８６と、この受け面８６と繋がるとともに支持台３６に上下方向に沿って形成された貫通孔８７とを有する。受け面８６は、貫通孔８７に向かうにつれて徐々に下方に傾斜する傾斜面となっている。これにより、第２入球口４５に入って受け面８６に載った遊技球８が貫通孔８７に向かって転動するようになっている。
【００５２】
第２回収通路８４には、この第２回収通路８４を通過する遊技球８を感知するセンサ８８が設けられている。このセンサ８８は前記貫通孔８７の中途部に設けられている。このセンサ８８は、本実施形態では、第２回収通路８４を通過する遊技球８を感知して、その通過信号を遊技機１内の制御装置に発信するようになっている。
【００５３】
振分部材３５を回転作動させる作動機構８１は、振分部材３５の軸部４１に設けられた歯車９３（平歯車）と、この歯車９３を作動させる第１軸９０と、この第１軸９０を作動させる第２軸９１とを有する。
【００５４】
第１軸９０は、上下方向に沿って設けられ、振分部材３５の軸部４１とほぼ平行となっている。第１軸９０の一端部には、振分部材３５の軸部４１に設けられた歯車９３とかみ合う平歯車９４が設けられている。第１軸９０の他端部には、傘歯歯車９５が設けられている。第１軸９０は、支持台３６に上下方向に貫通形成された孔に設けられた軸受に支持されている。
【００５５】
第２軸９１は、第１軸９０に対してほぼ直角となるように、水平方向に沿って設けられている。この第２軸９１の一端部には、第１軸９０の端部に設けられた傘歯歯車９５とかみ合う傘歯歯車９６が設けられている。支持台３６内には、水平方向に沿って形成された孔が形成されており、第２軸９１は、この孔に設けられた軸受に支持されている。この孔は、図２に示すように、第２回収通路８４（貫通孔８７）と繋がっている。
【００５６】
第２軸９１の他端部は、第２回収通路８４内に位置している。第２軸９１の他端部には、この第２回収通路８４を通過する遊技球８を受ける受け部材９７が設けられている。この受け部材９７は、図５に示すように、第２回収通路８４の中途部に形成された収納室８４ａに収納されている。
【００５７】
受け部材９７は、図５に示すように、複数の羽部９８を有している。受け部材９７は、この羽部９８に第２回収通路８４を通過する遊技球８が順次当たることで第２軸９１が回転するようになっている。第２回収通路８４を通過する遊技球８は、受け部材９７の羽部９８に当たった後、この受け部材９７の回転に促されて第２回収通路８４のさらに奥を通過して遊技機１内に回収される。
【００５８】
前記受け部材９７が遊技球８を受けて第２軸９１が回転することにより、第１軸９０が回転駆動される。この第１軸９０の回転によって動力が平歯車９３、９４を介して振分部材３５の軸部４１に伝達され、軸部４１は、その軸心まわりに回動する。これにより、振分部材３５の球受け部４０は、作動機構８１の受け部材９７に遊技球８が当たる度に、所定の角度でその中心まわりに回動するようになっている。
【００５９】
なお、図３に示すように、旋回通路４７の縁部４７ｃと通過手段５１〜５４の縁部６１（６１ａ〜６１ｈ）はつながって連続状に形成されている。また通過手段５１〜５４の縁部６１（６１ａ〜６１ｈ）と案内面５７の縁部５８はつながって連続状に形成されている。これにより、第２入球口４５は、旋回通路４７の縁部４７ｃ、通過手段５１〜５４の縁部６１（６１ａ〜６１ｈ）、および案内面５７の縁部５８によって囲まれており、これらの縁部によって区画されている。
【００６０】
次に、遊技機１の遊技方法および作用について説明する。遊技者は、ハンドル１１を操作することによって、遊技球８を打ち出して遊技盤４に投入する。遊技盤４に投入された遊技球８は、遊技盤４の上部から下部へと落下する。この遊技球８は、遊技盤４の遊技釘１６、風車２４等に当たりながら不規則に動き、普通入賞口２３、始動口１９、抽選室１７の電動役物１８のいずれかを通過する。上記の普通入賞口２３等に入らずに、遊技盤４の下部に達した遊技球８は、アウト口２５を通って遊技機１内に回収される。
【００６１】
なお、遊技球８が始動口１９に入球することにより、抽選室１７の電動役物１８は、一定時間大きく開き、これにより、遊技球８は、この電動役物１８を介して抽選室１７に入りやすくなる。この電動役物１８を通過した遊技球８は、案内樋３２によって所定速度に加速され、振分部材３５の球受け部４０に投入される。
【００６２】
球受け部４０に投入された遊技球８は、転動面４３の旋回通路４７を旋回する。この遊技球８は、旋回通路４７を旋回するうちに徐々に減速する。これにより、遊技球８は、その旋回半径を徐々に小さくしながら旋回する。旋回通路４７を旋回している遊技球８は、このように旋回半径を徐々に小さくしながら旋回することで、徐々に通過手段５１〜５４または第２入球口４５に近づいていく。遊技球８は、ある速度まで減速したとき、旋回通路４７を逸れ、旋回通路４７の縁部４７ｃを越えて第２入球口４５に入り、または、通過手段５１〜５４に入る。遊技球８が通過容易性の高い第１通過手段５１に入った場合、この遊技球８は、第１通過手段５１の２つのガイド部６４によってほぼ確実に第１入球口４４に案内される。
【００６３】
遊技球８が第２通過手段５２、第３通過手段５３、第４通過手段５４に入った場合、この遊技球８は、各通過手段５２〜５４の２つの縁部６１（６１ｃ〜６１ｈ）のうちの一方に形成されたガイド部６５〜６７に案内されて第１入球口４４に入るか、または、ガイド部６５〜６７が形成されていない他方の縁部６１（６１ｄ、６１ｆ、６１ｈ）を越えて第２入球口４５に入る。これによって、これらの通過手段５１〜５４は、それぞれの通過面６０（６０ｂ〜６０ｄ）上を通過する遊技球８を第１入球口４４と第２入球口４５に振り分けて入球させる。第２入球口４５に入った遊技球８が第２回収通路８４を通過すると、この第２回収通路８４に配置されたセンサ８８がこの遊技球８の通過を感知し、その信号を遊技機１内の制御装置に発信し、制御装置の制御によって少数の遊技球８が賞球として上皿９に払い出される。
【００６４】
また、第２入球口４５に入った遊技球８は、第２回収通路８４を通過するとき、作動機構８１の受け部材９７（羽部９８）に当たり、これによって、作動機構８１が振分部材３５の軸部４１を回動させる。これによって、球受け部４０が所定の角度分だけ回動する。このとき、遊技者には、抽選室１７内の球受け部４０の向きが変わって見え、球受け部４０に形成された通過手段５１〜５４の向き等も変わって見える。また、球受け部４０の回動は、第２回収通路８４を無作為に通過する遊技球８によってなされるため、遊技者には、球受け部４０が周期的に回動するものとしてではなく、偶発的、不規則に向きが変わるように見える。
【００６５】
第１入球口４４に遊技球８が入り、第１回収通路８３を通過したとき、第１回収通路８３に設けられたセンサ８５が遊技球８の通過を感知し、その信号を遊技機１内の制御装置に発信する。この信号が遊技機１内の制御装置に受信されると、遊技盤４において所定の大当たり遊技が開始される。
【００６６】
遊技者は、球受け部４０に投入された遊技球８が旋回通路４７を旋回しながら各通過手段５１〜５４、第２入球口４５に徐々に近づいていくのを見ながら、この遊技球８が最も通過容易性の高い第１通過手段５１を通過してほしいという期待感をもって遊技を楽しむことができる。また、遊技者は、この第１通過手段５１に対して通過容易性の低い第２通過手段５２〜第４通過手段５４をなんとか通過して第１入球口４４に入ってほしいという期待感をもって遊技を楽しむこともできる。
【００６７】
上記構成の振分部材３５は、その球受け部４０に旋回通路４７、第１入球口４４、第２入球口４５、通過手段５１〜５４等の多数の構成要素を組み合わせて形成することによって、従来にはない全く新規な構成となっている。しかも、この振分部材３５は、遊技者とって上述のような様々な期待感をもって遊技可能な構成となっている。
【００６８】
さらに、この振分部材３５を備えた振分装置２１は、球受け部４０を所定の角度で回動させて、遊技者にこの球受け部４０の向きが偶発的に変わるように見せることができるため、この遊技機１を使用する遊技者にとって飽きのこない構成とされ、遊技機１のネカセの影響が少ない公平な機種として認識される。
【００６９】
また、第１入球口４４、第２入球口４５の数を増減させたり、または通過手段５１〜５４の数を増減させたり、通過容易性の高低に差をつけること等によって、振分部材３５の球受け部４０を、基本的な構成を変えることなく、複数の通過手段５１〜５４を設けることによってバリエーションに富んだ多様な構成にすることができ、振分部材３５の設計の自由度が高まると共に、遊技球８の第１入球口４４、第２入球口４５への入球確率の設定・変更も容易にできるようになる。
【００７０】
図６は、振分部材３５の他の実施形態を示している。本実施形態では、振分部材３５の球受け部４０の転動面４３に形成された第１入球口４４のまわりを取り囲むように環状の第２入球口４５が形成されている。また、球受け部４０には、旋回通路４７と第１入球口４４とを繋ぐ１つの通過手段５１が形成されている。
【００７１】
通過手段５１の２つの縁部６１ａ、６１ｂの一方（縁部６１ａ）には、遊技球８を第１入球口４４に案内するガイド部６４が形成されている。このガイド部６４は、通過手段５１の通過面６０ａから上方に畝状に突出して形成されている。また、この第１入球口４４のまわりに形成された案内面５７の縁部５８には、遊技球８を第１入球口４４に案内するガイド部５９が形成されている。このガイド部５９は、案内面５７から上方に突出して形成されている。案内面５７のガイド部５９は、通過手段５１のガイド部６４と繋がって連続状に形成されている。
【００７２】
本実施形態によれば、振分部材３５は、旋回通路４７、第１入球口４４、第２入球口４５、通過手段５１といった複数の構成要素の組み合わせによって、従来にはない全く新しい構成となる。遊技者は、旋回通路４７を旋回する遊技球８が、第２入球口４５を避け、通過手段５１を通過して第１入球口４４に入ることを期待しながら、その遊技を楽しむことができる。なお、本実施形態のその他の構成は、図１〜図５の実施形態と同じである。本実施形態では、図１〜図５の実施形態と同様の作用効果を奏する。
【００７３】
図７は、振分部材３５の他の実施形態を示している。本実施形態では、振分部材３５の球受け部４０に、１つの第１入球口４４、第１入球口４４を包囲する環状の第２入球口４５が形成され、第２入球口４５を横切るように２つの通過手段５１、５２が形成されている。通過手段５１、５２によって分断された第２入球口４５は、球受け部４０の中央部に設けられた第１入球口４４を中心に点対称となるように形成されている。
【００７４】
同様に、２つの通過手段５１、５２は、第１入球口４４を中心に点対称となるように形成されている。本実施形態では、２つの通過手段５１、５２は同形状とされており、その通過容易性が等しくなっている。なお、本実施形態のその他の構成は、図６に示した実施形態と同じである。本実施形態においても図６に示した実施形態と同様の作用効果を奏する。
【００７５】
図８、図９は、振分部材３５の他の実施形態を示している。本実施形態では、振分部材３５の球受け部４０に、１つの第１入球口４４、第１入球口４４を包囲する環状の第２入球口４５、第２入球口４５を横断するように設けられた３つの通過手段５１〜５３が形成されている。本実施形態では、３つの通過手段５１〜５３の通過容易性が異なっている。以下、３つの通過手段５１〜５３を、通過容易性の高い順に第１通過手段５１、第２通過手段５２、第３通過手段５３という。
【００７６】
第１通過手段５１の通過面６０ａは、図９（ｈ）に示すように、断面視において、下方に凹んだ湾曲面となっている。このように通過面６０ａを湾曲樋形状に形成することにより、第１通過手段５１を通過する遊技球８は、第１通過手段５１の２つの縁部６１ａ、６１ｂを越えて第２入球口４５に入り難く、第１入球口４４に入りやすい構成（通過容易性が最も高い構成）となっている。
【００７７】
第２通過手段５２の通過面６０ｂは、図９（ｅ）〜（ｇ）に示すように、第２通過手段５２の２つの縁部６１ｃ、６１ｄの一方（縁部６１ｃ）から他方（縁部６１ｄ）に向かうにつれて、徐々に下方に傾斜する傾斜面となっている（以下、この傾斜の度合いを、「通過面の幅方向における勾配」という）。さらに第２通過手段５２の通過面６０ｂは所定の曲率半径により下方に凹んだ湾曲面となっている。
【００７８】
第２通過手段５２は、旋回通路４７側から第１入球口４４に向かうにつれて徐々に通過容易性が低くなるように構成されている。この点について以下に説明する。図９（ｅ）は、第２通過手段５２の旋回通路４７に近いＸ２点における断面を示している。図９（ｆ）は、このＸ２点よりも第１入球口４４寄りで、この第２通過手段５２の長手方向のほぼ中央部のＹ２点における断面図を示している。図９（ｇ）は、Ｙ２点よりも第１入球口４４寄りのＺ２点における断面図を示している。
【００７９】
Ｘ２点、Ｙ２点、Ｚ２点における第２通過手段５２の通過面６０ｂの断面を比較すると、Ｚ２点での通過面６０ｂの幅方向における勾配は、Ｙ２点での通過面６０ｂの幅方向における勾配よりも急である。また、Ｙ２点での通過面６０ｂの幅方向における勾配は、Ｘ２点での通過面６０ｂの幅方向における勾配よりも急である。
【００８０】
すなわち、第２通過手段５２は、旋回通路４７側から第１入球口４４側に向かうにつれて、その通過面６０ｂにおける幅方向の勾配が徐々に急になるように構成されている。したがって、この第２通過手段５２は、通過面６０ｂを通過する遊技球８が、旋回通路４７側から第１入球口４４に進むにつれて、その縁部６１ｃ、６１ｄを越えて第２入球口４５に入りやすくなっている。つまり、第２通過手段５２は、旋回通路４７側から第１入球口４４に向かうにつれて徐々に通過容易性が低くなっている。
【００８１】
第３通過手段５３は、第２通過手段５２とほぼ同様に、旋回通路４７側から第１入球口４４に向かうにつれて、その通過面６０ｃの幅方向における勾配が徐々に急になっている。そして、第３通過手段５３において、第１入球口４４寄りのＺ３点での通過面６０ｃの幅方向における勾配が、第２通過手段５２のＺ２点での通過面６０ｂの幅方向における勾配よりもさらに急になっている。これにより、第３通過手段５３は、第２通過手段５２よりも通過容易性が低くなっている。なお、本実施形態のその他の構成は、図１〜図５の実施形態と同じである。本実施形態においても図１〜図５の実施形態と同様の作用効果を奏する。
【００８２】
図１０は、振分部材３５の他の実施形態を示している。本実施形態では、振分部材３５の球受け部４０に、第１入球口４４、第１入球口４４を包囲する環状の第２入球口４５、３つの通過手段５１〜５３が形成されている。本実施形態では、３つの通過手段５１〜５３の入口幅Ｗを変化させることにより、それぞれの通過容易性が異なっている（以下、通過容易性の高い順に、第１通過手段５１、第２通過手段５２、第３通過手段５３という）。
【００８３】
第１通過手段５１は、最も旋回通路４７側のＸ１点の位置における入口幅Ｗ１が大きく、このＸ１点から球受け部４０のほぼ中央部に形成された第１入球口４４に向かうにつれて、その幅が徐々に狭くなっている。
【００８４】
第２通過手段５２は、最も旋回通路４７側のＸ２点の位置における入口幅Ｗ２が大きく、このＸ２点から第１入球口４４に向かうにつれてその幅が徐々に狭くなっている。Ｘ２点における第２通過手段５２の入口幅Ｗ２は、第１通過手段５１のＸ１点における入口幅Ｗ１よりも小さくなっている。また、第２通過手段５２の通過面６０ｂの面積は、第１通過手段５１の通過面６０ａの面積よりも小さくなっている。
【００８５】
第３通過手段５３の幅Ｗ３は、この第３通過手段５３の長手方向の全長にわたって一定になっている。この第３通過手段５３の幅Ｗ３は、第２通過手段５２のＸ２点における入口幅Ｗ２よりも小さくなっている。また、第３通過手段５３の通過面６０ｃの面積は、第２通過手段５２の通過面６０ｂの面積よりも小さくなっている。
【００８６】
各通過手段５１〜５３の各２つの縁部６１（６１ａ〜６１ｆ）のうちの一方（それぞれ縁部６１ａ、６１ｃ、６１ｅ）には、図３に示した振分部材３５の場合と同様に、遊技球８を第１入球口４４へと案内するガイド部６４〜６６が形成されている。
【００８７】
本実施形態では、第１通過手段５１は、その最も旋回通路４７側の位置（Ｘ１点の位置）における入口幅Ｗ１が、第２通過手段５２の最も旋回通路４７側の位置（Ｘ２点の位置）における入口幅Ｗ２よりも大きく形成されていることから、第２通過手段５２よりも通過容易性が高くなっている。
【００８８】
また、第２通過手段５２は、その最も旋回通路４７側の位置（Ｘ２点の位置）における入口幅Ｗ２が、第３通過手段５３の入口幅Ｗ３よりも大きく形成されていることから、第３通過手段５３よりも通過容易性が高くなっている。なお、本実施形態のその他の構成は、上述した図１〜図５の実施形態と同じである。本実施形態は、図１〜図５の実施形態と同様の作用効果を奏する。
【００８９】
図１１は、振分部材３５の他の実施形態を示している。本実施形態では、振分部材３５の球受け部４０に、１つの第１入球口４４、第１入球口４４を包囲する環状の第２入球口４５、３つの通過手段５１〜５３が形成されている。本実施形態では、３つの通過手段５１〜５３の幅Ｗを変化させることにより、それぞれの通過容易性が異なっている（以下、通過容易性の高い順に、第１通過手段５１、第２通過手段５２、第３通過手段５３という）。
【００９０】
第１通過手段５１は、旋回通路４７側から球受け部４０のほぼ中央部に設けられた第１入球口４４に向かうにつれて、その幅が徐々に広くなっている。第１通過手段５１の最も旋回通路４７側のＸ１点の位置における入口幅Ｗ１は、第１通過手段５１の最も第１入球口４４側のＺ１点の位置における幅Ｗ１’よりも小さい。
【００９１】
第２通過手段５２は、旋回通路４７側から第１入球口４４に向かうにつれて、その幅が徐々に大きくなるように形成されている。第２通過手段５２の最も旋回通路４７側のＸ２点の位置における入口幅Ｗ２は、最も第１入球口４４側のＺ２点の位置における幅Ｗ２’よりも小さい。第２通過手段５２の最も旋回通路４７側の位置（Ｘ２点の位置）における入口幅Ｗ２は、第１通過手段５１の最も旋回通路４７側の位置（Ｘ１点の位置）における入口幅Ｗ１と等しい。第２通過手段５２の最も第１入球口４４側の位置（Ｚ２点の位置）における幅Ｗ２’は、第１通過手段５１の最も第１入球口４４側の位置（Ｚ１点の位置）における幅Ｗ１’よりも小さい。
【００９２】
第３通過手段５３は、旋回通路４７側から第１入球口４４に向かうにつれて、その幅が徐々に大きくなっている。第３通過手段５３は、最も旋回通路４７側のＸ３点の位置における入口幅Ｗ３が、最も第１入球口４４側のＺ３点の位置における幅Ｗ３’よりも小さい。第３通過手段５３の最も旋回通路４７側の位置（Ｘ３点の位置）における入口幅Ｗ３は、第２通過手段５２の最も旋回通路４７側の位置（Ｘ２点の位置）における入口幅Ｗ２と等しい。また、第３通過手段５３の最も第１入球口４４側の位置（Ｚ３点の位置）における幅Ｗ３’は、第２通過手段５２の最も第１入球口４４側の位置（Ｚ２点の位置）における幅Ｗ２’よりも小さい。
【００９３】
本実施形態では、第１通過手段５１、第２通過手段５２、第３通過手段５３の最も旋回通路４７側の位置（それぞれＸ１点、Ｘ２点、Ｘ３点の位置）における入口幅Ｗ１〜Ｗ３はそれぞれ等しくなっているが、第１通過手段５１は、その最も第１入球口４４側の位置（Ｚ１点の位置）における幅Ｗ１’が、第２通過手段５２の最も第１入球口４４側の位置（Ｚ２点の位置）における幅Ｗ２’よりも大きくなっていることから、この第２通過手段５２よりも通過容易性が高い。
【００９４】
また、第２通過手段５２は、その最も第１入球口４４側の位置（Ｚ２点の位置）における幅Ｗ２’が、第３通過手段５３の最も第１入球口４４側の位置（Ｚ３点の位置）における幅Ｗ３’よりも大きくなっていることから、第３通過手段５３よりも通過容易性が高い。なお、本実施形態のその他の構成は、図１０の実施形態等と同じである。本実施形態では、図１０の実施形態等と同様の作用効果を奏する。
【００９５】
図１２は、振分部材３５の他の実施形態を示している。本実施形態では、振分部材３５の球受け部４０に２つの第１入球口４４、第１入球口４４を包囲する環状の第２入球口４５、２つの通過手段５１、５２が形成されている。２つの第１入球口４４は、球受け部４０のほぼ中央部に設けられた円形の案内面５７に設けられている。２つの第１入球口４４は、円形の案内面５７の中心から偏心して設けられている。２つの通過手段５１、５２は、互いにその通過容易性が異なった構成になっている。なお、この２つの通過手段５１、５２は、同じ形状で通過容易性が等しくなっていてもよい。
【００９６】
本実施形態では、円形の案内面５７は、その縁部５８に図３等で示したガイド部５９が形成されていないが、全体的に凹湾曲面形状をなしている。したがって、この案内面５７に載った遊技球８は、公知のいわゆるクルーンと同様に、案内面５７上を旋回し、第１入球口４４，第２入球口４５のいずれかに入球するが、その勢いによっては、案内面５７の縁部５８を越えて第２入球口４５に入球する場合もある。すなわち、この案内面５７は、通過手段５１、５２を通過してきた遊技球８が第１入球口４４と第２入球口４５のいずれかに入るように振分可能な構成となっている。
【００９７】
本実施形態では、球受け部４０に２つの第１入球口４４が形成されているので、第１入球口４４が一つの場合よりも、遊技球８が入球しやすくなっている。その一方で、案内面５７がガイド部５９を備えておらず、第１入球口４４と第２入球口４５とに遊技球８を振り分けて入球できるように構成されているので、同時に２つの遊技球８が案内面５７に導入された場合を想定すると、この振分装置２１は、案内面５７にガイド部５９が設けられている場合と比較して、遊技球８が互いに干渉し、各遊技球８が第２球口４５に陥り易くなっている。
【００９８】
また、遊技機１は、例えば、２つの第１入球口４４のうちの一方に遊技球８が入った場合に所定ラウンド数（例えば１５ラウンド）の大当たりを発生させ、他方の第１入球口４４に遊技球８入った場合には、この大当たりよりも少ないラウンド数（例えば３ラウンド）の小当たりを発生させるように構成することもできる。
【００９９】
本実施形態に係る振分装置２１は、第１入球口４４、第２入球口４５、通過手段５１、５２、案内面５７の複数の構成要素の組み合わせにより、従来にはない全く新規な構成になる。また、振分装置２１は、上記の構成により、遊技者にとって、第１入球口４４への遊技球８の入球の期待感、満足感、遊び感覚を高めることができるようになっている。さらに、２つの第１入球口４４に、大当たりと小当たりの差をつけることによって、遊技者に期待感を感じさせて、より楽しませることができる。なお、本実施形態のその他の構成は、図１〜図５の実施形態と同じである。本実施形態においても図１〜図５の実施形態と同様の作用効果を奏する。
【０１００】
図１３は、振分部材３５の他の実施形態を示している。本実施形態では、振分部材３５の球受け部４０に、３つの第１入球口４４、第１入球口４４を包囲する環状の第２入球口４５、３つの通過手段５１〜５３が設けられている。本実施形態では、円形の球受け部４０の中心に円形の案内面５７が設けられ、この案内面５７に３つの第１入球口４４が形成されている。３つの第１入球口４４は、円形の案内面５７の中心から偏心して設けられている。
【０１０１】
この振分部材３５は、例えば、３つの第１入球口４４のうち、１つの第１入球口４４が所定のラウンド数の大当たりの孔として用いられ、他の１つの第１入球口４４が大当たりよりもラウンド数の少ない中当たり（例えば７ラウンド）の孔とされ、残りの１つの第１入球口４４が中当たりよりもラウンド数の少ない小当たり（例えば３ラウンド）の孔となっている。
【０１０２】
このように、遊技球８が入った第１入球口４４によって当たりの程度が異なるように設定することによって、遊技者は、３つの第１入球口４４のうちで最も有利な第１入球口４４（大当たりが設定されている第１入球口４４）に遊技球８が入ってほしいと期待しながら遊技を楽しむことができる。なお、本実施形態のその他の構成は、図１〜図５の実施形態と同じである。本実施形態は、図１〜図５の実施形態と同様の作用効果を奏する。
【０１０３】
図１４は、振分部材３５の他の実施形態を示している。本実施形態では、振分部材３５の円形の球受け部４０のほぼ中央位置に第１入球口４４が形成されている。第１入球口４４のまわりを囲むように環状に配置された第２入球口４５が形成されている。
【０１０４】
円形の球受け部４０の半径方向の外側の位置には、遊技球８が旋回して転動するための第１旋回通路１０１が形成されている。第１旋回通路１０１の内側には、この第１旋回通路１０１よりも小さな第２旋回通路１０２が形成されている。第１旋回通路１０１と第２旋回通路１０２の間には、この第１旋回通路１０１と第２旋回通路１０２と繋ぐとともに遊技球８を第１旋回通路１０１から第２旋回通路１０２に通過可能とする３つの通過手段１０３が形成されている。この通過手段１０３は、第１旋回通路１０１と第２旋回通路１０２を跨いで第１旋回通路１０１と第２旋回通路１０２とに架け渡されるように形成されている。
【０１０５】
第１旋回通路１０１と第２旋回通路１０２の間には、第１旋回通路１０１を旋回している遊技球８がこの第１旋回通路１０１を逸れたときに入る第３入球口１０６が形成されている。本実施形態では、球受け部４０に３つの第３入球口１０６が形成されている。図１４に示すように、第３入球口１０６は、平面視円形の球受け部４０の円周方向に沿って、長く形成されている。３つの第３入球口１０６は、第１旋回通路１０１に沿って環状に配置されている。
【０１０６】
なお、第１旋回通路１０１は、案内樋３２から投入された遊技球８が所定の旋回を行うように案内する円環状のガイド部１０１ａと、遊技球８が通過する通過面１０１ｂと、第３入球口１０６との境界となる縁部１０１ｃを有する。
【０１０７】
第１旋回通路１０１と第２旋回通路１０２を繋ぐ通過手段１０３は、隣り合う第３入球口１０６の間に形成されている。この通過手段１０３は、第３入球口１０６との境界となる２つの縁部１０３ａ、１０３ｂと、遊技球８が通過する通過面１０３ｃを有する。各通過手段１０３の２つの縁部１０３ａ、１０３ｂの一方の縁部１０３ａには、第１旋回通路１０１を旋回する遊技球８を第２旋回通路１０２に案内するガイド部１０３ｄが形成されている。
【０１０８】
ガイド部１０３ｄは、通過手段１０３の通過面１０３ｃから上方に突出して形成されている。各通過手段１０３の他方の縁部１０３ｂにはガイド部１０３ｄが形成されておらず、通過面１０３ｃを通過しようとする遊技球８は、この縁部１０３ｂを越えて第３入球口１０６に入球可能となっている。このことから、この通過手段１０３は、遊技球８を第２旋回通路１０２に誘導するか、または第３入球口１０６に入るように、この遊技球８を振り分けて通過させるようになっている。
【０１０９】
また、本実施形態では、第２旋回通路１０２と第１入球口４４の間に、第２旋回通路１０２と第１入球口４４を繋ぐ３つの通過手段５１〜５３が形成されている。
【０１１０】
これらの３つの通過手段５１〜５３には、図１〜図５の実施形態と同様に、２つの縁部６１の一方にガイド部６４〜６６が形成されている。３つの通過手段５１〜５３は、通過容易性が異なるように形成されていてもよいし、または通過容易性が等しくなるように同じ形状に形成されていてもよい。
【０１１１】
第２旋回通路１０２は、遊技球８の所定の旋回させるように案内するガイド部１１１と、第１旋回通路１０１側に形成された縁部１１２（以下、「外側の縁部１１２」という）と、第１入球口４４側（または球受け部４０の中心側）に形成された縁部１１３（以下、「内側の縁部１１３」という）と、遊技球８が通過する通過面１１４を有する。
【０１１２】
前記ガイド部１１１は、第２旋回通路１０２の外側の縁部１１２の全長にわたって形成されている。第２旋回通路１０２のガイド部１１１は、第１旋回通路１０１と第２旋回通路１０２とを繋ぐ通過手段１０３のガイド部１０３ｄと一体にかつ連続状に形成されている。これによって、第１旋回通路１０１から通過手段１０３に入った遊技球８は、これらのガイド部１０３ｄ、１１１に案内されて第２旋回通路１０２を旋回できる。
【０１１３】
図１４に示すように、第２入球口４５の開口面積は、第１入球口４４の開口面積よりも大きくなっている。また、第２入球口４５の開口面積は、第３入球口１０６の開口面積よりも小さくなっている。また、円形の球受け部４０の円周方向における第２入球口４５の長さは、この円周方向における第３入球口１０６の長さよりも短くなっている。第２入球口４５の円周方向の長さは、通過手段５１〜５４の幅よりも大きくなっている。また、球受け部４０の円周方向における第３入球口１０６の長さは、第１旋回通路１０１と第２旋回通路１０２とを繋ぐ通過手段１０３の幅（２つの縁部１０３ａ、１０３ｂの間隔をいう）よりも大きくなっている。
【０１１４】
遊技球８が球受け部４０に投入されたときの作用を説明する。案内樋３２から球受け部４０の転動面４３に投入された遊技球８は、まず第１旋回通路１０１を旋回する。この遊技球８は第１旋回通路１０１を旋回しながら徐々に減速し、その旋回半径を小さくしながら旋回する。そして、この遊技球８は、第３入球口１０６または第１旋回通路１０１と第２旋回通路１０２の間の通過手段１０３に徐々に近づいていく。
【０１１５】
遊技球８は、ある速度に減速したとき、第１旋回通路１０１を逸れ、第３入球口１０６に入るか、または第１旋回通路１０１と第２旋回通路１０２との通過手段１０３に入る。このとき、球受け部４０の円周方向における第３入球口１０６の長さが前記通過手段５１〜５３の幅よりも大きくなっていることから、遊技球８は、前記通過手段１０３よりも第３入球口１０６に入りやすくなっている。
【０１１６】
第３入球口１０６に入ることなく複数の通過手段１０３のいずれかに入った遊技球８は、その通過手段１０３を通過して第２旋回通路１０２に移るか、または通過手段１０３においてガイド部１０３ｄが形成されていない縁部１０３ｂを越えて第３入球口１０６に入る。
【０１１７】
前記通過手段１０３のガイド部１０３ｄに案内されて第２旋回通路１０２に移った遊技球８は、第２旋回通路１０２のガイド部１１１に案内されて第２旋回通路１０２の通過面１１４上を旋回する。この遊技球８は第２旋回通路１０２を旋回しながら徐々に減速し、その旋回半径を小さくしながら第２入球口４５、通過手段５１〜５３に徐々に近づいていく。
【０１１８】
遊技球８は、ある速度に減速したとき、第２旋回通路１０２から逸れ、第２入球口４５または通過手段５１〜５３のいずれかに入る。このとき、球受け部４０の円周方向における第２入球口４５の長さが通過手段５１〜５３よりも大きくなっていることから、遊技球８は通過手段５１〜５３よりも第２入球口４５に入りやすくなっている。
【０１１９】
第２入球口４５に入らずに複数の通過手段５１〜５３いずれかに入った遊技球８は、その通過手段５１〜５３のガイド部６４〜６６に案内されて第１入球口４４に入るか、または、この通過手段５１〜５３のガイド部６４〜６６が形成されていない方の縁部６１（６１ｂ、６１ｄ、６１ｆ）を越えて第２入球口４５に入る。
【０１２０】
本実施形態の遊技機１は、例えば、遊技球８が第１入球口４４に入ったときに、所定ラウンド数（例えば１５ラウンド）の大当たりを発生させ、遊技球８が第２入球口４５に入ったときに、大当たりよりもラウンド数（例えば、３ラウンド、７ラウンド、１０ラウンド等）の少ない中当たりを発生させ、遊技球８が第３入球口１０６に入ったときに、賞球なしか、または例えば１０〜１５個程度の少数の一般賞球の払い出しがなされるように設定される。
【０１２１】
これによって、振分部材３５は、遊技球８が球受け部４０の中心部に進めば進む程、賞球が多く得られる全く新規な構成になる。また、遊技者は、遊技球８が球受け部４０の中央部の第１入球口４４まで届いてほしいと期待しながら遊技を楽しむことができるようになる。なお、本実施形態のその他の構成は、図１〜図５の実施形態と同じである。
【０１２２】
図１５、図１６は、遊技機１および振分装置２１の他の実施形態を示している。本実施形態に係る遊技機１は、図１５に示すように、遊技盤４に遊技球８が通過可能なゲート２０が設けられており、この点において、図１で示した遊技機１と異なる。本実施形態に係る遊技機１は、遊技盤４に打ち出された遊技球８がゲート２０を通過する度に、振分装置２１の振分部材３５をその軸部４１まわりに所定の角度で回動させる構成となっている。
【０１２３】
本実施形態に係る振分装置２１は、上述した図１〜図５の実施形態と同様に、振分部材３５の軸部４１を支持する支持部８０と、第１回収通路８３、第２回収通路８４、第１回収通路８３に設けられたセンサ８５、第２回収通路８４に設けられていて、遊技球８がこの第２回収通路８４を通過するときにこの遊技球８を感知してその信号を制御装置に発信するセンサ８８を備えている。
【０１２４】
本実施形態に係る振分装置２１は、前述した作動機構８１の代わりに、振分部材３５の軸部４１に所定の回動をさせる駆動手段１１５を備えている。この駆動手段１１５は、振分部材３５の軸部４１に設けられた歯車９３と、この歯車９３とかみ合う歯車１１７と、歯車１１７を回転駆動するモータ１１８と、この第２回収通路８４を通過する遊技球８を感知するセンサ１１９と、遊技機１内に設けられた通過判定器１２０、モータ駆動回路１２１等を有する。
【０１２５】
本実施形態では、第１回収通路８３は、第２回収通路８４に合流して繋がっている。駆動手段１１５のセンサ１１９は、第１回収通路８３と第２回収通路８４との合流位置よりも下流側に設けられており、第１回収通路８３を通過してきた遊技球８も感知するようになっている。
【０１２６】
本実施形態によれば、球受け部４０に投入された遊技球８が第２入球口４５に入り、第２回収通路８４を通過するときにセンサ１１９がこの遊技球８を感知する。このセンサ１１９が感知した信号は、通過判定器１２０により判定され、モータ駆動回路１２１によりモータ１１８が一定時間駆動される。
【０１２７】
これにより、振分部材３５の軸部４１が回転し、球受け部４０は所定の角度で回動する。これによって、遊技者には、図１〜図５の実施形態と同様に、球受け部４０が偶発的にその向きを変えるように見える。なお、本実施形態のその他の構成は、図１〜図５の実施形態と同じである。本実施形態は、図１〜図５の実施形態と同様の作用効果を奏する。
【０１２８】
図１７は、振分装置２１の他の実施形態を示している。この実施形態に係る振分装置２１は、図１〜図５の実施形態で示した支持台３６に代えて、遊技盤４の抽選室１７にステージ１２６を備えており、振分部材３５は、このステージ１２６に支持されている。ステージ１２６の上面は、遊技盤４の表側に向かうにつれて徐々に下方に傾斜する傾斜面となっている。
【０１２９】
このステージ１２６には、振分部材３５の軸部４１を支持する支持部１２８が設けられている。この支持部１２８は、ステージ１２６に上下貫通する孔を形成し、この孔に軸受を設けたものである。振分部材３５の軸部４１は、この支持部１２８の軸受に回転自在に支持されている。
【０１３０】
ステージ１２６の下方側であって、遊技盤４の裏側には、振分部材３５の軸部４１を回転駆動する駆動手段１１５が設けられている。この駆動手段１１５は、振分部材３５の軸部４１に同心状に設けられた歯車９３と、この歯車９３とかみ合う歯車１２９が回転軸に設けられたモータ１３０を有する。本実施形態では、駆動手段１１５のモータ１３０は、振分部材３５の軸部４１を常に回転駆動している。
【０１３１】
遊技盤４の裏側には、振分部材３５の軸部４１に形成された排出通路７０と繋がるとともに、排出通路７０から排出された遊技球８を始動口１９へと誘導する誘導通路１３１が設けられている。この誘導通路１３１は、遊技盤４を貫通して形成されており、遊技盤４の表側に設けられた始動口１９へと誘導するようになっている。始動口１９には、この始動口１９に入った遊技球８を遊技機１内に回収する回収通路１３３が繋がっている。この回収通路１３３には、遊技球８の通過を感知するセンサ１３２が設けられている。
【０１３２】
本実施形態において、遊技盤４の始動口１９は、例えば、遊技盤４の表側に設けられたデジタル式の抽選表示部（図示せず）を始動するために用いられる。遊技機１は、前記始動口１９に入った遊技球８を感知したセンサ１３２から送られた信号をこの遊技機１内の制御装置で受け、この制御装置によって抽選表示部を制御するようになっている。
【０１３３】
案内樋３２から振分部材３５の球受け部４０に投入された遊技球８は、旋回通路４７、通過手段５１〜５４を経て第１入球口４４に入るか、または、第１入球口４４に到達する前に第２入球口４５に入る。遊技球８が第１入球口４４に入った場合、この遊技球８は、振分部材３５の軸部４１に形成された排出通路７０、誘導通路１３１を経て始動口１９に入る。
【０１３４】
遊技球８は、始動口１９に入ると、回収通路１３３を通じて遊技機１内に回収される。その際、センサ１３２がこの遊技球８を感知して遊技機１内の制御装置にその信号を送る。制御装置はこの信号を受けて、大当たり当否の抽選、および抽選表示部の始動・制御等を行うようになっている。
【０１３５】
遊技球８が球受け部４０の第２入球口４５に入った場合、この遊技球８は、ステージ１２６に落ち、このステージ１２６の傾斜に沿って転動し、遊技盤４の表側に落ちる。遊技球８が遊技盤４の表側に落ちる際、その場所によっては、始動口１９に入る場合がある。始動口１９を逸れた遊技球８は、他の普通入賞口２３に入るか、または遊技盤４の下部まで落ちてアウト口２５を通じて遊技機１内に回収される。
【０１３６】
この遊技機１では、第１入球口４４に入った遊技球８は、排出通路７０、誘導通路１３１を通じてほぼ確実に始動口１９に入るようになっているが、第２入球口４５に入った遊技球８は、第１入球口４４に入った場合と比較して、始動口１９に入りにくい。すなわち、本実施形態においては、第１入球口４４は、第２入球口４５よりも遊技球８が始動口１９に入りやすい有利な孔となっており、他方、第２入球口４５は、第１入球口４４よりも遊技球８が始動口１９に入りにくい不利な孔となっている。
【０１３７】
本実施形態の振分装置２１およびこの振分装置２１を備えた遊技機１によれば、振分部材３５の球受け部４０に、旋回通路４７、第１入球口４４、第２入球口４５、複数の通過手段５１〜５４、始動口１９等の複数の構成要素を組み合わせて構成することにより、従来にはない全く新規な構成となる。
【０１３８】
また、この振分装置２１を備えた遊技機１を使用する遊技者は、球受け部４０に投入された遊技球８が第１入球口４４を通じて確実に始動口１９に入り、抽選表示部を始動させてほしいと期待しながら、その遊技を楽しむことができる。また、遊技者は、遊技球８が第２入球口４５に入ったとしても、なんとか遊技球８がステージ１２６から始動口１９へと入ってほしいと期待しながら、その遊技を楽しむことができる。したがって、この振分部材３５、振分装置２１、およびこれらを有する遊技機１は、遊技者の遊技意欲を駆り立てるとともに飽きのこない構成になっている。
【０１３９】
また、振分装置２１の振分部材３５は、駆動手段１１５のモータ１３０によって常に回転駆動されていることから、これによっても遊技者にとって飽きのこない、常に楽しめる構成になっている。
【０１４０】
図１８〜図２０は、振分装置２１の他の実施形態を示している。本実施形態では、振分部材３５は、図１〜図５の実施形態で示したものと同様に、球受け部４０と軸部４１を有し、球受け部４０の転動面４３には、旋回通路４７、第１入球口４４、第２入球口４５、通過容易性の異なる４つの通過手段５１〜５４等が形成されている。また、本実施形態に係る振分装置２１は、図１〜図５の実施形態と同様に、支持台３６、駆動手段１１５を備えている。
【０１４１】
本実施形態では、支持台３６と振分部材３５の球受け部４０との間に、この球受け部４０が所定角度回動したときに、遊技球８を通過手段５１〜５４に案内する案内部材１３５が設けられている。本実施形態では、案内部材１３５は、複数の通過手段５１〜５４のうち、最も通過容易性の高い第１通過手段５１に遊技球８を案内できるようになっている。この案内部材１３５は、遊技球８を第１通過手段５１に案内する案内部１３６と、この案内部１３６を支持する支持軸部１３７と、支持台３６と係合する係合突起部１３８とを有する。
【０１４２】
案内部１３６には、所定の曲率半径で湾曲形成された曲面とされた案内面１３６ａが形成されている。この案内部１３６は、図１８に示すように、支持軸部１３７に対してほぼ直角となるように、この支持軸部１３７の一端部から突出して形成されている。係合突起部１３８は、支持軸部１３７に対してほぼ直角となるように、この支持軸部１３７の他端部から突出して形成されている。係合突起部１３８は、案内部１３６と同じ方向ほぼ平行に突出している。
【０１４３】
球受け部４０には、案内部材１３５の支持軸部１３７を回動可能に支持する支持部１３９が設けられている。この支持部１３９は、球受け部４０の旋回通路４７のガイド部４７ａと一体に形成されている。この支持部１３９には、支持軸部１３７が挿通される孔１３９ａが上下方向に貫通して形成されている。案内部材１３５は、その支持軸部１３７が支持部１３９の孔１３９ａに挿通された状態で、この支持部１３９に支持軸部１３７まわりに回動自在に支持されている。
【０１４４】
図１９、図２０に示すように、案内部材１３５は、その案内部１３６が球受け部４０の転動面４３（旋回通路４７）から逸れた位置で待機する待機姿勢Ｋと、この案内部１３６が球受け部４０の転動面４３上に移動して遊技球８を第１通過手段５１に案内する案内姿勢Ｌとに姿勢変更可能となっている。
【０１４５】
支持軸部１３７と球受け部４０の間には、この支持軸部１３７を案内姿勢Ｌとなるように付勢するコイルバネ１４０が設けられている。コイルバネ１４０の内側には、支持軸部１３７が挿通されている。このコイルバネ１４０は、その一端部が球受け部４０の下面４０ａに固定され、他端部が案内部材１３５の係合突起部１３８に固定されている。
【０１４６】
支持台３６には、その上部にフランジ部１４１が形成されている。このフランジ部１４１には、案内部材１３５が所定角度回動したときに、係合突起部１３８が入る凹部１４２が形成されている。また、このフランジ部１４１には、凹部１４２に係合している係合突起部１３８の向きを変えるカム部１４３が設けられている。
【０１４７】
案内部材１３５が案内姿勢Ｌにあるとき、係合突起部１３８は、支持台３６のフランジ部１４１に形成された凹部１４２に入った状態になる。この状態では、案内部１３６は、転動面４３上に位置しており、平面視において、転動面４３の旋回通路４７の通過面４７ｂと重なっている。これにより、案内部１３６は、旋回通路４７を遮った状態になる。また、案内部材１３５が案内姿勢Ｌにあるとき、案内部１３６は、第１通過手段５１の近傍に位置する。これによって、案内樋３２から球受け部４０に投入されて旋回通路４７を旋回する遊技球８は、案内面１３６ａに当たって第１通過手段５１に案内される。
【０１４８】
第１通過手段５１を通過した遊技球８は、第１入球口４４に入り、振分部材３５の軸部４１の排出通路７０、支持台３６の第１回収通路８３を通って遊技機１内に回収される。遊技球８が第１回収通路８３を通ったとき、この第１回収通路８３に設けられたセンサ８５が遊技球８を感知し、その信号を遊技機１内の制御装置に発信し、制御装置の制御により、大当たり遊技が始まる。
【０１４９】
また、このとき、制御装置は、係合突起部１３８が凹部１４２から外れるようにすべく、モータ１１８を駆動させて振分部材３５の軸部４１をさらに大きく回動させる。案内部材１３５が案内姿勢Ｌにある状態から、振分部材３５の軸部４１が回動すると、案内部材１３５は、係合突起部１３８が凹部１４２から外れる。このときコイルバネ１４０が収縮し、係合突起部１３８はその弾性力によって凹部１４２側に付勢される。
【０１５０】
係合突起部１３８が凹部１４２から外れるとき、カム部１４３が案内部材１３５の係合突起部１３８をフランジ部１４１の外周面１４１ａ側に押し、案内部材１３５は、この係合突起部１３８がフランジ部１４１の外周面１４１ａに接したとき、待機姿勢Ｋに変わる。このように係合突起部１３８がフランジ部１４１の外周面１４１ａに接したとき、案内部１３６は、その向きを変えて球受け部４０の転動面４３から逸れた位置に移動する。
【０１５１】
案内部材１３５は、待機姿勢Ｋになると、係合突起部１３８が凹部１４２に再び入るまで、この待機姿勢Ｋを維持する。案内部材１３５が待機姿勢Ｋにあるとき、案内部材１３５の係合突起部１３８は、コイルバネ１４０に付勢された状態で、フランジ部１４１の外周面１４１ａに接した状態で、球受け部４０の回動に応じてこの外周面１４１ａに対して摺動する。
【０１５２】
本実施形態に係る振分装置２１は、上記のような構成から、フランジ部１４１に１つの凹部１４２が形成されている場合に、案内部材１３５は、案内姿勢Ｌから待機姿勢Ｋに変わったとき、振分部材３５が約３６０°回動した場合に、再び案内姿勢Ｌに姿勢が変わるようになっている。
【０１５３】
以上のように、案内部材１３５は、待機姿勢Ｋと案内姿勢Ｌとに姿勢を変更できるようになっている。すなわち、振分部材３５と支持台３６の間には、案内部材１３５を待機姿勢Ｋと案内姿勢Ｌとに変更させる姿勢変更手段１４５が設けられている。この姿勢変更手段１４５は、案内部材１３５の係合突起部１３８と、コイルバネ１４０と、支持台３６のフランジ部１４１およびこのフランジ部１４１に形成された凹部１４２と、カム部１４３とによって構成される。
【０１５４】
このように、案内部材１３５は、第２入球口４５に所定数の遊技球８が入り、所定数の遊技球８が第２回収通路８４を通過することによって球受け部４０が所定の回動をしたときに、姿勢変更手段１４５によって待機姿勢Ｋから案内姿勢Ｌに変更されるため、遊技者は、第１入球口４４に遊技球８が入らずに、第２入球口４５に入ってばかりの状態であっても、所定数の遊技球８が第２入球口４５に入った場合に案内部材１３５が遊技球８を第１通過手段５１を介して第１入球口４４に案内し、大当たりが発生することを期待しながら、遊技を楽しむことができる。したがって、この案内部材１３５が設けられた振分装置２１は、遊技者にとって飽きのこない構成になっている。なお、本実施形態のその他の構成は、図１〜図５の実施形態と同じである。本実施形態は、図１〜図５の実施形態と同様の作用効果を奏する。
【０１５５】
図２１は、振分部材３５の他の実施形態を示している。本実施形態では、振分部材３５の球受け部４０に、１つの第１入球口４４、第１入球口４４を包囲する環状の第２入球口４５、旋回通路４７、１つの通過手段５１、案内面５７等が形成されている。本実施形態では、通過手段５１は、旋回通路４７側と案内面５７側とに架け渡された軸部１５１と、この軸部１５１まわりに回転自在に設けられていて、遊技球８を旋回通路４７から案内面５７へと通過させることが可能な連絡部材１５２とを有する。
【０１５６】
連絡部材１５２は、所定の曲率半径で凹状に湾曲形成された複数（図例では３つ）の湾曲面１５２ａを有している。この湾曲面１５２ａは、遊技球８が通過する通過面となっている。本実施形態では、複数の湾曲面１５２ａの曲率半径をそれぞれ変えることで、連絡部材１５２には、通過容易性の異なる複数の通過面とすることができる。また、複数の湾曲面１５２ａの曲率半径を等しくすることで、遊技球８の通過容易性を等しくするようにしてもよい。
【０１５７】
本実施形態に係る振分部材３５は、連絡部材１５２が軸部１５１まわりに回転自在にされていることから、遊技球８が連絡部材１５２の通過面（湾曲面１５２ａ）に移ったときに、その速度が大きすぎると連絡部材１５２が回転し、遊技球８は、連絡部材１５２の通過面から逸れて第２入球口４５に落とされるようになっている。
【０１５８】
また、本実施形態に係る振分部材３５は、遊技球８が連絡部材１５２が回転しない程度の所定の速度で旋回通路４７からこの連絡部材１５２に移ったときにのみ、この遊技球８が連絡部材１５２の通過面を通過して第１入球口４４に入球するようになっている。なお、本実施形態に係る振分部材３５の球受け部４０には複数の通過手段５１を設けるようにしてもよい。本実施形態のその他の構成は、図１〜図５の実施形態と同様である。本実施形態においても図１〜図５の実施形態と同様の作用効果を奏する。
【０１５９】
図２２は、振分部材３５の他の実施形態を示している。本実施形態では、振分部材３５の球受け部４０に１つの第１入球口４４、第１入球口４４を包囲する環状の第２入球口４５、旋回通路４７、１つの通過手段５１、案内面５７等が形成されている。
【０１６０】
本実施形態に係る振分部材３５の通過手段５１は、環状の第２入球口４５を跨いで旋回通路４７と案内面５７とに架け渡される一対の棒状の連絡部材１５５ａ、１５５ｂを有する。旋回通路４７と案内面５７とに架け渡された一対の連絡部材１５５ａ、１５５ｂの間隔は、遊技球８の直径よりも小さくなっており、これによって、遊技球８は、一対の連絡部材１５５ａ、１５５ｂの間を通って旋回通路４７から案内面５７に向かって通過可能となっている。本実施形態では、通過手段５１は、一対の連絡部材１５５ａ、１５５ｂの間隔を大小変化させることで、遊技球８の通過容易性を変えることができる。
【０１６１】
この振分部材３５には、一対の連絡部材１５５ａ、１５５ｂからなる複数の通過手段（すなわち、複数対の棒状部材）を設けるようにしてもよい。また、通過手段５１である一対の連絡部材１５５ａ、１５５ｂは、旋回通路４７と案内面５７との架け渡された状態でこれらに固着されていてもよく、また、旋回通路４７と案内面５７に各連絡部材１５５ａ、１５５ｂの端部が嵌る凹部（溝部）を形成し、各凹部に連絡部材１５２の端部を嵌め込むことによって、一対の連絡部材１５５ａ、１５５ｂを旋回通路４７と案内面５７とに架け渡すようにしてもよい。
【０１６２】
また、旋回通路４７と案内面５７に複数の凹部を形成することによって、連絡部材１５５ａ、１５５ｂの間隔や位置等を変更できるようになる。このようにすることで、振分部材３５は、基本的な構成をそのままとして、遊技球８の第１入球口４４への入球確率を調整することができるようになり、設計の自由度が非常に高いものになる。また、連絡部材１５５ａ、１５５ｂは、棒状に限らず、板状その他の種々の形状であってもよい。連絡部材１５５ａ、１５５ｂとしては、直線状の棒状のものに限らず、円弧状、曲線状その他の種々の形状のものを採用できる。なお、本実施形態のその他の構成は、図１〜図５の実施形態と同様である。本実施形態においても図１〜図５の実施形態と同様の作用効果を奏する。
【０１６３】
なお、本発明は上記の実施の形態に限らず、種々の変更・変形が可能である。
【０１６４】
例えば、上記の実施の形態で示した第１入球口４４は円形でなくてもよく、楕円形、多角形、星形等その他の種々の開口形状を採用できる。上記の実施の形態では、振分部材３５の球受け部４０の第１入球口４４と振分部材３５の軸部４１とが同心状に形成された例を示したが、これらがずれて形成されていてもよい。振分部材３５の球受け部４０に形成される第１入球口４４の数は、４以上の複数であってもよい。図１４の実施形態では、振分部材３５の球受け部４０に２つの旋回通路１０１、１０２が形成されていたが、球受け部４０には、３つ以上の複数の旋回通路を形成してもよい。
【０１６５】
上記の実施の形態では、振分部材３５は、球受け部４０と軸部４１とを有するものを例示したが、軸部４１を設けずに球受け部４０のみの構成とし、この振分部材３５の球受け部４０を支持台３６に直接固定する構成を採用してもよい。上述した図７の実施形態では、第２入球口４５、２つの通過手段５１、５２が第１入球口４４を中心に点対称に配置された構成を例示したが、これに限らずこれらが非対称配置のものであってもよい。
【０１６６】
また、支持台３６のフランジ部１４１には、複数の凹部１４２、複数のカム部１４３を形成してもよい。これに応じて振分部材３５と支持台３６の間に複数の案内部材１３５を設けるようにしてもよい。上述した図１８〜図２０の実施形態では、案内部材１３５が案内姿勢Ｌにあるときに、遊技球８を第１通過手段５１に案内するように球受け部４０に設けられていたが、他の通過手段５２〜５４を案内するように設けられていてもよい。
【０１６７】
上記の実施形態では、環状の第２入球口４５として円環状のものを例示したが、これに限らず、第２入球口４５を第１入球口４４を取り囲むように連続状に形成されたものであればよく、この第２入球口４５を四角状等の多角形状で環状に形成したり、楕円環状に形成したり、星形等の種々の異形形状によって環状に構成するようにしてもよい。
【０１６８】
上記の実施形態では、作動機構８１の受け部材９７を第２回収通路８４に形成された収容室８４ａに配置し、第２回収通路８４を通過する遊技球８によって作動機構８１を作動させる例を示したが、これに限らず、第１回収通路８３に受け部材９７を収納する収納室を形成し、この収納室に受け部材９７を配置してこの作動機構８１を作動させるようにしてもよい。すなわち、作動機構８１を第１回収通路８３、第２回収通路８４のうちの少なくとも一方（一方または両方）を通過する遊技球８によって作動するように構成してもよい。
【０１６９】
上記の実施形態では、このセンサ８８は、第２回収通路８４に設けられていたが、第１回収通路８３と第２回収通路８４の一方に設けられていてもよく、第１回収通路８３と第２回収通路８４の両方に設けられていても良い。すなわち、センサ８８は、第１回収通路８３と第２回収通路８４の少なくとも一方に設けられていればよい。
【図面の簡単な説明】
【０１７０】
【図１】遊技機の一実施形態を示す正面図である。
【図２】振分装置の断面図である。
【図３】振分部材の平面図である。
【図４】（ａ）は、図３のＡ−Ａ線における断面図を示し、（ｂ）は、図３のＢ−Ｂ線における断面図を示し、（ｃ）は、図３のＣ−Ｃ線における断面図を示し、（ｄ）は、図３のＤ−Ｄ線における断面図を示す。
【図５】案内部材の正面図である。
【図６】振分部材の他の実施形態の平面図である。
【図７】振分部材の他の実施形態の平面図である。
【図８】振分部材の他の実施形態の平面図である。
【図９】（ｅ）は、図８のＥ−Ｅ線における断面図を示し、（ｆ）は、図８のＦ−Ｆ線における断面図を示し、（ｇ）は、図８のＧ−Ｇ線における断面図を示し、（ｈ）は、図８のＨ−Ｈ線における断面図を示す。
【図１０】振分部材の他の実施形態の平面図である。
【図１１】振分部材の他の実施形態の平面図である。
【図１２】振分部材の他の実施形態の平面図である。
【図１３】振分部材の他の実施形態の平面図である。
【図１４】振分部材の他の実施形態の平面図である。
【図１５】遊技機の他の実施形態を示す正面図である。
【図１６】振分装置の他の実施形態の平面図である。
【図１７】振分装置の他の実施形態の平面図である。
【図１８】振分装置の他の実施形態の断面図である。
【図１９】振分部材の平面図である。
【図２０】図１８のＩ−Ｉ線における断面図である。
【図２１】振分部材の他の実施形態の斜視図である。
【図２２】振分部材の他の実施形態の斜視図である。
【符号の説明】
【０１７１】
１…遊技機、８…遊技球、１７…抽選室、２１…振分装置、３５…振分部材、３６…支持台、４０…球受け部、４１…軸部、４３…転動面、４４…第１入球口、４５…第２入球口、４７…旋回通路、５１…通過手段（第１通過手段）、５２…通過手段（第２通過手段）、５３…通過手段（第３通過手段）、５４…通過手段（第４通過手段）、８０…支持部、８１…作動機構、８３…第１回収通路、８４…第２回収通路、８５…センサ、１１５…駆動手段、１１９…センサ、１３５…案内部材、１４５…姿勢変更手段
【図１】
2008228975.tif 000003
【図２】
2008228975.tif 000004
【図３】
2008228975.tif 000005
【図４】
2008228975.tif 000006
【図５】
2008228975.tif 000007
【図６】
2008228975.tif 000008
【図７】
2008228975.tif 000009
【図８】
2008228975.tif 000010
【図９】
2008228975.tif 000011
【図１０】
2008228975.tif 000012
【図１１】
2008228975.tif 000013
【図１２】
2008228975.tif 000014
【図１３】
2008228975.tif 000015
【図１４】
2008228975.tif 000016
【図１５】
2008228975.tif 000017
【図１６】
2008228975.tif 000018
【図１７】
2008228975.tif 000019
【図１８】
2008228975.tif 000020
【図１９】
2008228975.tif 000021
【図２０】
2008228975.tif 000022
【図２１】
2008228975.tif 000023
【図２２】
2008228975.tif 000024